(57)【要約】【課題】優れた断熱性を発揮することはもちろん、簡単な構成で省資源化に対応した複合カップ容器を提供する。【解決手段】外筒２は上方から下方にかけて略平行に伸びる４本の折線に沿って内方に折り込まれた内向きの突出部分３を数カ所に有しており、この突出部分３が形成された外筒２をカップ本体１の胴部外側に取り付けることにより、カップ本体１の胴部と外筒２との間に空隙が形成される。カップ本体と外筒の間には異部材を入れることなく、ブランクの数カ所に縦方向の内向き突出部分３を形成し、それを利用することで上部から下部に渡って大きな空隙が形成される。【選択図】図２
2010076777.tif 000002
【特許請求の範囲】
【請求項１】
内容物を収容するカップ本体とその外側に取り付けられる外筒との二重構造からなる複合カップ容器であって、外筒は上方から下方にかけて略平行に伸びる４本の折線に沿って内方に折り込まれた内向きの突出部分を数カ所に有しており、この突出部分が形成された外筒をカップ本体の胴部外側に取り付けることにより、カップ本体の胴部と外筒との間に空隙が形成されることを特徴とする複合カップ容器。
【請求項２】
内容物を収容するカップ本体とその外側に取り付けられる外筒との二重構造からなる複合カップ容器であって、外筒は上方から下方にかけて略平行に伸びる４本の折線に沿って内方に折り込まれた内向きの突出部分を数カ所に有しており、この突出部分のないところで上部に延設部分を有し、その延設部分は切込みにより分割されてなる複数の耳部を形成しており、それらの耳部を内側へ折り込んだ状態で外筒をカップ本体の胴部外側に取り付けることにより、カップ本体の胴部と外筒との間に空隙が形成されることを特徴とする複合カップ容器。
【発明の詳細な説明】
【技術分野】
【０００１】
本発明は、内容物を収容するカップ本体とその外側に取り付けられる外筒との二重構造からなる複合カップ容器に係り、特にインスタントラーメンなどの即席食品に用いられ熱湯を注いで食するための断熱性に優れた複合カップ容器に関するものである。
【背景技術】
【０００２】
一般に、インスタントラーメンなどの即席食品に用いられ熱湯を注いで食するための断熱性を有するカップ容器としては、発泡ポリスチレンなどのプラスチック製のものが多用されていたが、これらは廃棄した場合に公害問題になることから、これに代わるものとして、例えば実開平４−４５２１２号公報に見られるように、内容物を収容するカップ本体とその外側に取り付けられる外筒との二重構造からなり、両者の間に断熱用の空隙（断熱空隙）を形成した複合カップ容器が提案されている。
【０００３】
【特許文献１】実開平４−４５２１２号公報
【発明の開示】
【発明が解決しようとする課題】
【０００４】
このような複合カップ容器は、通常の紙カップからなるカップ本体に対して、テーパーの異なる筒状の外筒を組み合わせるという簡単な構成により断熱効果を有するカップ容器が得られるという利点がある。そして、断熱用の空隙が下方に行くほど大きくなっているので、通常の持ち方では良好な断熱効果を発揮する。
【０００５】
しかしながら、複合カップ容器は、その上部寄りのところをつかんで把持する状態が長く続くと、断熱効果を発揮する空隙が無いか又は狭いので、段々と熱くなってくるという問題がある。断熱性を向上させるためには、カップ本体と外筒との間に異部材を入れて３層構造にしたり、外筒を２周に巻き付ける構造にしたものがある。ところが、前者のものは異部材を入れ込む工程が複雑であり、また後者のものは外筒を形成するブランクが左右に大きくなるために、原反からの取り位置が悪く、無駄になる基材が多くなり、省資源化に反したものとなる。
【０００６】
本発明は、このような問題点を解決するためになされたものであり、その目的とするところは、優れた断熱性を発揮することはもちろん、カップ本体と外筒の間に異部材を入れずに済む簡単な構成で、かつブランクの取り位置を考慮し省資源化に対応した複合カップ容器を提供することにある。
【課題を解決するための手段】
【０００７】
上記目的を達成するために、本発明に係る複合カップ容器は、内容物を収容するカップ本体とその外側に取り付けられる外筒との二重構造からなる複合カップ容器であって、外筒は上方から下方にかけて略平行に伸びる４本の折線に沿って内方に折り込まれた内向きの突出部分を数カ所に有しており、この突出部分が形成された外筒をカップ本体の胴部外側に取り付けることにより、カップ本体の胴部と外筒との間に空隙が形成されることを特徴としている。
【０００８】
また、同様の目的を達成するため、本発明に係る別の複合カップ容器は、内容物を収容するカップ本体とその外側に取り付けられる外筒との二重構造からなる複合カップ容器であって、外筒は上方から下方にかけて略平行に伸びる４本の折線に沿って内方に折り込まれた内向きの突出部分を数カ所に有しており、この突出部分のないところで上部に延設部分を有し、その延設部分は切込みにより分割されてなる複数の耳部を形成しており、それらの耳部を内側へ折り込んだ状態で外筒をカップ本体の胴部外側に取り付けることにより、カップ本体の胴部と外筒との間に空隙が形成されることを特徴としている。
【発明の効果】
【０００９】
本発明に係る複合カップ容器は、内容物を収容するカップ本体とその外側に取り付けられる外筒との二重構造からなる複合カップ容器であって、外筒は上方から下方にかけて略平行に伸びる４本の折線に沿って内方に折り込まれた内向きの突出部分を数カ所に有しており、この突出部分が形成された外筒をカップ本体の胴部外側に取り付けることにより、カップ本体の胴部と外筒との間に空隙が形成される構成をしているので、カップ本体と外筒の間には異部材を入れることなく、ブランクの数カ所に縦方向の内向き突出部分を形成し、それを利用することで上部から下部に渡って大きな空隙が形成され、それによって優れた断熱性を発揮することができるものとなり、また、外筒を形成するブランクの左右を少し大きくするだけでよいため、二重巻き外筒のようにブランク取り位置が悪くなることがなく、省資源化にも対応したものとなる。
【００１０】
本発明に係る別の複合カップ容器は、内容物を収容するカップ本体とその外側に取り付けられる外筒との二重構造からなる複合カップ容器であって、外筒は上方から下方にかけて略平行に伸びる４本の折線に沿って内方に折り込まれた内向きの突出部分を数カ所に有しており、この突出部分のないところで上部に延設部分を有し、その延設部分は切込みにより分割されてなる複数の耳部を形成しており、それらの耳部を内側へ折り込んだ状態で外筒をカップ本体の胴部外側に取り付けることにより、カップ本体の胴部と外筒との間に空隙が形成される構成をしているので、カップ本体と外筒の間には異部材を入れることなく、ブランクの数カ所に形成した縦方向の内向き突出部分と上部に設けた延設部分を利用することで上部から下部に渡って大きな空隙が形成され、それによって優れた断熱性を発揮することができるものとなり、また、外筒を形成するブランクの左右を少し大きくするとともに上部に延設部分を設けるだけでよいため、二重巻き外筒のようにブランク取り位置が悪くなることがなく、省資源化にも対応したものとなる。
【発明を実施するための最良の形態】
【００１１】
以下、図面を参照しながら本発明の実施形態について説明する。
【００１２】
図１は本発明に係る複合カップ容器の一例を示す斜視図、図２は図１の複合カップ容器におけるカップ本体と外筒を分離した状態で示す斜視図、図３は図１の複合カップ容器を構成する外筒を形成するブランクの展開図である。
【００１３】
図１の複合カップ容器１０は、図２に示すように、内容物を収容するカップ本体１とその外側に取り付けられる外筒２とを組み合わせたものである。外筒２を構成するブランクは、図３に示すように、カップ本体１の胴部のサイズより左右に少し長い扇形状をしており、その上方から下方にかけて略平行に伸びる４本ずつの折線４が３箇所に設けられている。この４本の折線４は外筒２に内向きの突出部分３を形成するためのもので、３つの突出部分３がカップ本体１の胴部上で等間隔となるように４本ずつの折線４が間隔を置いて設けられている。そして、この突出部分３が形成された外筒２をカップ本体１の胴部外側に取り付けることで、複合カップ容器１０が形成される。
【００１４】
カップ本体１は、内面若しくは内外両面にポリエチレン、ポリプロピレン等の合成樹脂をコーティング（押出し塗布加工も含む）した板紙からなる扇状のブランクを筒状に巻き、円形状の底板を形成したものであり、通常の紙カップと同様に、胴部の下方に底板を巻き締めるとともに、上方の開口縁に外向きカール部７が形成されたものである。
【００１５】
外筒２は、図３に示す扇形状のブランクを組み立てて形成される。このブランクは、板紙単体若しくは片面又は両面にポリエチレン、ポリプロピレン等の合成樹脂をコーティング（押出し塗布加工も含む）した板紙からなるもので、前記したようにカップ本体１のサイズより左右に少し長い扇形状をしており、その上方から下方にかけて略平行に伸びる４本ずつの折線４が３箇所に設けられ、さらに左右方向の一方の端縁にはブランクを筒状とするために貼着部Ｈが設けられている。
【００１６】
次に、カップ本体１と外筒２とを組み合わせて複合カップ容器１０を形成する方法について説明する。
【００１７】
まず、外筒２のブランクを筒状に巻き、本体部分の一端に形成された貼合部Ｈと他端とを貼り合わせることにより、図４（ａ）に示すように、筒状の外筒２を形成する。このように外筒２のブランクを筒状にした後、その筒状となった外筒２の一部を４本の折線４に沿って３箇所で内方へ折り込んで所定箇所を固定することにより、図４（ｂ）に示すように、断面が三角形状をした内向きの突出部分３を形成する。次いで、図５（ａ）に示すように、カップ本体１を外筒２の上方開口より挿入することで、図５（ｂ）に示すように、複合カップ容器１０が形成されることになる。
【００１８】
このように、内向きの突出部分３を形成した外筒２をカップ本体１の胴部外側に取り付けるので、図６に示すように、外筒２は突出部分３を介してカップ容器１の胴部外側に接することになり、カップカップ本体１と外筒２の胴部８との間に空隙Ｓが形成された状態となる。これにより、カップ本体１の熱が外筒２へと伝わりにくくなる。特に、複合カップ容器１０の上部から下部に至る広い範囲に渡って断熱用の大きな空隙Ｓが形成されることになる。
【００１９】
本発明の複合カップ容器の変形例として、上記構成の複合カップ容器１０において、外筒２における内向きの突出部分３のないところで上部に延設部分を設け、その延設部分を切込みにより分割して複数の耳部を形成し、それらの耳部を外筒の内側へ折り込んだ状態で外筒２をカップ本体１の胴部外側に取り付けるようにしてもよい。
【００２０】
図８はこのような外筒２を形成するブランクの展開図である。図示のブランクは、図３のブランクで突出部分３となる部位を除いて上部に折線９を介して延設部分が設けられた形状で、その延設部分は切込み６により複数の耳部５に分割されている。
【００２１】
そして、このブランクを筒状に巻き、ブランクの一端に形成された貼合部Ｈと他端とを貼り合わせて筒状とした後、その筒状となった外筒２の一部を４本の折線４に沿って３箇所で内方へ折り込んで所定箇所を固定することにより、図８（ａ）に示すように、断面が三角形状をした内向きの突出部分３を形成する。この段階では、外筒２の上部の折線９に沿って複数の耳部５が上方へ突出した状態となる。
【００２２】
次いで、図８（ｂ）に示すように、全ての耳部５を折線９に沿って内側へと折り込むとともに、図９（ａ）に示すように、外筒２の耳部５を略水平に折り込んだ状態を経て、図９（ｂ）に示すように、カップ本体１を外筒２の上部開口より挿入する。続いて、図１０（ａ）に示すように、カップ本体１をさらに外筒２の中へと押し込むことで、図１０（ｂ）に示すように、複合カップ容器１０が形成されることになる。
【００２３】
このように、内向きの突出部分３を形成し、さらに耳部５を内側に折り込んだ状態で外筒２をカップ本体１の胴部外側に取り付けるので、図１１に示すように、外筒２は突出部分３のみならず、その突出部分３のないところではその一部で重なり合った耳部を介してカップ容器１の胴部外側に接することになり、カップカップ本体１と外筒２の胴部８との間に空隙Ｓが形成された状態となる。これにより、カップ本体１の熱が外筒２へと伝わりにくくなる。特に、複合カップ容器１０の上部付近では、突出部分のないところで外筒１とカップ本体の胴部との間に複数の耳部５を挟んだ状態となり、この部分を安全に把持することが可能となる。
【００２４】
以上、本発明の実施形態について例を挙げて詳細に説明してきたが、本発明による複合カップ容器は、上記実施の形態に何ら限定されるものではなく、本発明の趣旨を逸脱しない範囲において種々の変更が可能であることは言うまでもない。
【図面の簡単な説明】
【００２５】
【図１】本発明に係る複合カップ容器の一例を示す斜視図である。
【図２】図１の複合カップ容器におけるカップ本体と外筒を分離した状態で示す斜視図である。
【図３】図１の複合カップ容器を構成する外筒を形成するブランクの展開図である。
【図４】図１の複合カップ容器の形成手順を示す斜視図である。
【図５】図４に続く形成手順を示す斜視図である。
【図６】複合カップ容器の一部破断斜視図である。
【図７】複合カップ容器の変形例を構成するブランクの展開図である。
【図８】変形例の複合カップ容器の形成手順を示す斜視図である。
【図９】図８に続く形成手順を示す斜視図である。
【図１０】図９に続く形成手順を示す斜視図である。
【図１１】変形例の複合カップ容器の一部破断斜視図である。
【符号の説明】
【００２６】
１  カップ本体
２  外筒
３  突出部分
４  折線
５  耳部
６  切込み
７  外向きカール部
８  胴部
９  折線
１０  複合カップ容器
Ｈ  貼合部
Ｓ  空隙
【図１】
2010076777.tif 000003
【図２】
2010076777.tif 000004
【図３】
2010076777.tif 000005
【図４】
2010076777.tif 000006
【図５】
2010076777.tif 000007
【図６】
2010076777.tif 000008
【図７】
2010076777.tif 000009
【図８】
2010076777.tif 000010
【図９】
2010076777.tif 000011
【図１０】
2010076777.tif 000012
【図１１】
2010076777.tif 000013